【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
複数の画像形成装置の消費電力を算出する情報処理装置であって、
前記複数の画像形成装置の設置位置を示す複数のアイコンが配置されたマップ画像を表示するための表示画面を生成する表示画面生成手段と、
前記表示画面を介した画像形成装置の指示を受け付けた際に、前記マップ画像に加え、当該指示された画像形成装置の取り得る複数の状態での消費電力に関するより詳細な情報をさらに表示するための表示画面を生成する詳細表示画面生成手段とを有し、
前記表示画面生成手段は、前記マップ画像上の各アイコンと対応した位置に各画像形成装置の状態別の消費電力の割合を示す円グラフを配置し、当該円グラフのサイズを前記画像形成装置による消費電力の大きさに応じたサイズで表示するための表示画面を生成し、
前記表示画面を介した画像形成装置の指示は、前記表示画面のマップ画像上のアイコン又は円グラフの指定であることを特徴とする情報処理装置。
【請求項２】
１又は複数の画像形成装置の消費電力を算出する情報処理装置であって、
前記画像形成装置の印刷開始時における処理の消費電力を示す印刷系ジョブ開始時消費電力を記憶する記憶手段と、
前記画像形成装置から前記画像形成装置で実行されたジョブのジョブ履歴を収集する収集手段と、
前記ジョブ履歴を用いて、指定期間における前記画像形成装置の状態別の消費電力を算出する消費電力算出手段と、
前記ジョブ履歴に基づいて前記指定期間において前記画像形成装置が印刷開始時における処理を実行した回数を示す印刷開始数を算出する印刷開始数算出手段と、
前記印刷系ジョブ開始時消費電力に前記印刷開始数を乗算した値を、前記画像形成装置のジョブ処理状態の消費電力に加算することにより前記消費電力算出手段により算出された消費電力の値を補正する補正手段と、
前記１又は複数の画像形成装置の状態別の消費電力を表示するための表示画面を生成する表示画面生成手段と、
を有することを特徴とする情報処理装置。
【請求項３】
前記ジョブ履歴は、ジョブ開始日時及びジョブ終了日時を含むものであり、
前記印刷開始数算出手段は、先行して開始された印刷を伴うジョブの終了前に他の印刷を伴うジョブが開始された場合には、これらのジョブ全体で、前記印刷開始時における処理を実行した回数を１回と算出することを特徴とする請求項２に記載の情報処理装置。
【請求項４】
前記画像形成装置から前記画像形成装置の電源状態を取得する取得手段と、
前記消費電力算出手段は、前記電源状態及び前記ジョブ履歴を用いて、前記指定期間における前記画像形成装置の状態別の消費電力を算出することを特徴とする請求項２又は３に記載の情報処理装置。
【請求項５】
前記電源状態と前記ジョブ履歴に基づいて、前記指定期間における前記画像形成装置の状態別の累計時間を算出する累計時間算出手段を更に有し、
前記記憶手段は、更に、前記画像形成装置の状態別の単位時間あたりの消費電力を示す状態別消費電力を記憶するものであり、
前記消費電力算出手段は、前記状態別消費電力に前記状態別の累計時間をそれぞれ乗算することにより、前記指定期間における前記画像形成装置の状態別の消費電力を算出することを特徴とする請求項４に記載の情報処理装置。
【請求項６】
前記ジョブ履歴は、ジョブ処理別のページ数の情報を含むものであり、
前記記憶手段は、更に、前記画像形成装置で実行するジョブ１ページあたりのジョブ処理別の消費電力を示すジョブ処理別消費電力を記憶するものであり、
前記補正手段は、更に、前記ジョブ処理別消費電力に前記ジョブ履歴から取得される前記画像形成装置で前記指定期間において実行された各ジョブで処理された前記ジョブ処理別のページ数をそれぞれ乗算した値の合計値を、前記ジョブ処理状態の消費電力に加算することを特徴とする請求項２乃至５のいずれか１項に記載の情報処理装置。
【請求項７】
前記電源状態に基づき、前記指定期間において前記画像形成装置が電源オンされた回数を示す電源オン数を算出する電源オン数算出手段を有し、
前記消費電力算出手段が算出する前記状態別の消費電力は、前記画像形成装置の待機状態の消費電力を含むものであり、
前記記憶手段は、更に、前記画像形成装置の電源オン時における処理の消費電力を示す電源オン時消費電力を記憶するものであり、
前記補正手段は、更に、前記電源オン時消費電力に前記電源オン数を乗算した値を、前記消費電力算出手段が算出した前記待機状態の消費電力に加算することを特徴とする請求項４乃至６のいずれか１項に記載の情報処理装置。
【請求項８】
前記電源状態に基づき、前記指定期間において前記画像形成装置が電源オフされた回数を示す電源オフ数を算出する電源オフ数算出手段を有し、
前記記憶手段は、更に、前記画像形成装置の電源オフ時における処理の消費電力を示す電源オフ時消費電力を記憶するものであり、
前記補正手段は、更に、前記電源オフ時消費電力に前記電源オフ数を乗算した値を、前記消費電力算出手段が算出した前記待機状態の消費電力に加算することを特徴とする請求項７に記載の情報処理装置。
【請求項９】
前記記憶手段は、更に、前記画像形成装置が備えるフィニッシャの情報を含む構成情報と、前記フィニッシャの状態別の消費電力とを予め記憶するものであり、
前記補正手段は、更に、前記フィニッシャの状態別の消費電力に前記状態別の累計時間をそれぞれ乗算した値を、前記状態別の消費電力にそれぞれ加算することを特徴とする請求項５乃至８のいずれか１項に記載の情報処理装置。
【請求項１０】
前記ジョブ履歴は、ジョブで処理された前記フィニッシャのフィニッシャ機能別のページ数の情報を含み、
前記記憶手段は、更に、前記フィニッシャで実行するジョブ１ページあたりの前記フィニッシャ機能別の消費電力を示すフィニッシャ機能別消費電力を記憶するものであり、
前記補正手段は、更に、前記フィニッシャ機能別消費電力に前記フィニッシャ機能別のページ数とをそれぞれ乗算した値を、前記ジョブ処理状態の消費電力に加算することにより、前記ジョブ処理状態の消費電力を補正することを特徴とする請求項９に記載の情報処理装置。
【請求項１１】
前記各フィニッシャ機能は、ステイプル機能、パンチ機能を含むことを特徴とする請求項１０に記載の情報処理装置。
【請求項１２】
前記表示画面は、前記画像形成装置の設置位置を示すアイコンが配置されたマップ画像上の各アイコンと対応した位置に、前記画像形成装置における状態別の消費電力の割合を示す円グラフを配置し、前記円グラフのサイズを、前記画像形成装置の消費電力の大きさに応じたサイズで表示する表示画面であることを特徴とする請求項２乃至１１のいずれか１項に記載の情報処理装置。
【請求項１３】
前記表示画面生成手段は、前記アイコン又は前記円グラフを指示されると、前記表示画面での表示情報に加え、前記指示された前記アイコン又は前記円グラフに対応する画像形成装置の状態別の消費電力のより詳細な情報を表示するための詳細表示画面を生成することを特徴とする請求項１２に記載の情報処理装置。
【請求項１４】
複数の画像形成装置の消費電力を算出する情報処理装置における消費電力管理方法であって、
表示画面生成手段が、前記複数の画像形成装置の設置位置を示す複数のアイコンが配置されたマップ画像を表示するための表示画面を生成する表示画面生成ステップと、
詳細表示画面生成手段が、前記表示画面を介した画像形成装置の指示を受け付けた際に、前記マップ画像に加え、当該指示された画像形成装置の取り得る複数の状態での消費電力に関するより詳細な情報をさらに表示するための表示画面を生成する詳細表示画面生成ステップとを有し、
前記表示画面生成ステップは、前記マップ画像上の各アイコンと対応した位置に各画像形成装置の状態別の消費電力の割合を示す円グラフを配置し、当該円グラフのサイズを前記画像形成装置による消費電力の大きさに応じたサイズで表示するための表示画面を生成し、
前記表示画面を介した画像形成装置の指示は、前記表示画面のマップ画像上のアイコン又は円グラフの指定であることを特徴とする消費電力管理方法。
【請求項１５】
１又は複数の画像形成装置の消費電力を算出する情報処理装置における消費電力管理方法であって、
収集手段が、前記画像形成装置から前記画像形成装置で実行されたジョブのジョブ履歴を収集する収集ステップと、
消費電力算出手段が、前記ジョブ履歴を用いて、指定期間における前記画像形成装置の状態別の消費電力を算出する消費電力算出ステップと、
印刷開始数算出手段が、前記ジョブ履歴に基づいて前記指定期間において前記画像形成装置が印刷開始時における処理を実行した回数を示す印刷開始数を算出する印刷開始数算出ステップと、
補正手段が、記憶手段に記憶される前記画像形成装置の印刷開始時における処理の消費電力を示す印刷系ジョブ開始時消費電力に、前記印刷開始数を乗算した値を、前記画像形成装置のジョブ処理状態の消費電力に加算することにより前記消費電力算出ステップにより算出された消費電力の値を補正する補正ステップと、
表示画面生成手段が、前記１又は複数の画像形成装置の状態別の消費電力を表示するための表示画面を生成する表示画面生成ステップと、
を有することを特徴とする消費電力管理方法。
【請求項１６】
コンピュータを、請求項１に記載された手段として機能させるためのプログラム。
【請求項１７】
コンピュータを、請求項２乃至１４のいずれか１項に記載された手段として機能させるためのプログラム。
【手続補正２】
【補正対象書類名】明細書
【補正対象項目名】０００９
【補正方法】変更
【補正の内容】
【０００９】
また、本発明は、１又は複数の画像形成装置の消費電力を算出する情報処理装置であって、前記画像形成装置の印刷開始時における処理の消費電力を示す印刷系ジョブ開始時消費電力を記憶する記憶手段と、前記画像形成装置から前記画像形成装置で実行されたジョブのジョブ履歴を収集する収集手段と、前記ジョブ履歴を用いて、指定期間における前記画像形成装置の状態別の消費電力を算出する消費電力算出手段と、前記ジョブ履歴に基づいて前記指定期間において前記画像形成装置が印刷開始時における処理を実行した回数を示す印刷開始数を算出する印刷開始数算出手段と、前記印刷系ジョブ開始時消費電力に前記印刷開始数を乗算した値を、前記画像形成装置のジョブ処理状態の消費電力に加算することにより前記消費電力算出手段により算出された消費電力の値を補正する補正手段と、前記１又は複数の画像形成装置の状態別の消費電力を表示するための表示画面を生成する表示画面生成手段と、を有することを特徴とする。